【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
表示モードとして、標高を表示する標高表示モード、気圧を表示する気圧表示モード、及び方位を表示する方位表示モードを備える電子時計であって、
第１領域、第２領域、及び第３領域を有する情報表示部と、
前記第１領域を指示することで前記標高表示モードであることを表示し、前記第２領域を指示することで前記気圧表示モードであることを表示し、前記第３領域を指示することで前記方位表示モードであることを表示する第１表示針と、を備え、
前記情報表示部において、前記第１領域、前記第２領域、前記第３領域は、前記第１領域、前記第２領域、前記第３領域の順に並べて配置されている
ことを特徴とする電子時計。
【請求項２】
前記第１表示針の回転方向において、前記第１領域と前記第２領域との間の距離と、前記第２領域と前記第３領域との間の距離とが、前記第３領域と前記第１領域との間の距離よりも短い、
ことを特徴とする請求項１に記載の電子時計。
【請求項３】
前記第１表示針を回転させる駆動部と、
前記表示モードが前記標高表示モードである場合に、前記第１表示針が前記第１領域を指示し、前記表示モードが前記気圧表示モードである場合に、前記第１表示針が前記第２領域を指示し、前記表示モードが前記方位表示モードである場合に、前記第１表示針が前記第３領域を指示するように前記駆動部を制御する制御部と、
を備えることを特徴とする請求項１または２に記載の電子時計。
【請求項４】
表示モードとして、方位を表示する方位表示モード、標高を表示する標高表示モード、及び気圧を表示する気圧表示モードを備える電子時計であって、
第１領域、第２領域、及び第３領域を有する情報表示部と、
前記第１領域を指示することで前記方位表示モードであることを表示し、前記第２領域を指示することで前記標高表示モードであることを表示し、前記第３領域を指示することで前記気圧表示モードであることを表示する第１表示針とを備え、
前記情報表示部において、前記第１領域、前記第２領域、前記第３領域は、前記第１領域、前記第２領域、前記第３領域の順に並べて配置されている
ことを特徴とする電子時計。
【請求項５】
前記第１表示針の回転方向において、前記第１領域と前記第２領域との間の距離と、前記第２領域と前記第３領域との間の距離とが、前記第３領域と前記第１領域との間の距離よりも短い、
ことを特徴とする請求項４に記載の電子時計。
【請求項６】
前記第１表示針を回転させる駆動部と、
前記表示モードが前記方位表示モードである場合に、前記第１表示針が前記第１領域を指示し、前記表示モードが前記標高表示モードである場合に、前記第１表示針が前記第２領域を指示し、前記表示モードが前記気圧表示モードである場合に、前記第１表示針が前記第３領域を指示するように前記駆動部を制御する制御部と、
を備えることを特徴とする請求項４または５に記載の電子時計。
【請求項７】
表示モードとして、方位を表示する方位表示モード、気圧を表示する気圧表示モード、及び標高を表示する標高表示モードを備える電子時計であって、
第１領域、第２領域、及び第３領域を有する情報表示部と、
前記第１領域を指示することで前記方位表示モードであることを表示し、前記第２領域を指示することで前記気圧表示モードであることを表示し、前記第３領域を指示することで前記標高表示モードであることを表示する第１表示針とを備え、
前記情報表示部において、前記第１領域、前記第２領域、前記第３領域は、前記第１領域、前記第２領域、前記第３領域の順に並べて配置されている
ことを特徴とする電子時計。
【請求項８】
前記第１表示針の回転方向において、前記第１領域と前記第２領域との間の距離と、前記第２領域と前記第３領域との間の距離とが、前記第３領域と前記第１領域との間の距離よりも短い、
ことを特徴とする請求項７に記載の電子時計。
【請求項９】
前記第１表示針を回転させる駆動部と、
前記表示モードが前記方位表示モードである場合に、前記第１表示針が前記第１領域を指示し、前記表示モードが前記気圧表示モードである場合に、前記第１表示針が前記第２領域を指示し、前記表示モードが前記標高表示モードである場合に、前記第１表示針が前記第３領域を指示するように前記駆動部を制御する制御部と、
を備えることを特徴とする請求項７または８に記載の電子時計。
【請求項１０】
表示モードとして、気圧を表示する気圧表示モード、標高を表示する標高表示モード、及び方位を表示する方位表示モードを備える電子時計であって、
第１領域、第２領域、及び第３領域を有する情報表示部と、
前記第１領域を指示することで前記気圧表示モードであることを表示し、前記第２領域を指示することで前記標高表示モードであることを表示し、前記第３領域を指示することで前記方位表示モードであることを表示する第１表示針とを備え、
前記情報表示部において、前記第１領域、前記第２領域、前記第３領域は、前記第１領域、前記第２領域、前記第３領域の順に並べて配置されている
ことを特徴とする電子時計。
【請求項１１】
前記第１表示針の回転方向において、前記第１領域と前記第２領域との間の距離と、前記第２領域と前記第３領域との間の距離とが、前記第３領域と前記第１領域との間の距離よりも短い、
ことを特徴とする請求項１０に記載の電子時計。
【請求項１２】
前記第１表示針を回転させる駆動部と、
前記表示モードが前記気圧表示モードである場合に、前記第１表示針が前記第１領域を指示し、前記表示モードが前記標高表示モードである場合に、前記第１表示針が前記第２領域を指示し、前記表示モードが前記方位表示モードである場合に、前記第１表示針が前記第３領域を指示するように前記駆動部を制御する制御部と、
を備えることを特徴とする請求項１０または１１に記載の電子時計。
【請求項１３】
表示モードとして、気圧を表示する気圧表示モード、方位を表示する方位表示モード、及び標高を表示する標高表示モードを備える電子時計であって、
第１領域、第２領域、及び第３領域を有する情報表示部と、
前記第１領域を指示することで前記気圧表示モードであることを表示し、前記第２領域を指示することで前記方位表示モードであることを表示し、前記第３領域を指示することで前記標高表示モードであることを表示する第１表示針とを備え、
前記情報表示部において、前記第１領域、前記第２領域、前記第３領域は、前記第１領域、前記第２領域、前記第３領域の順に並べて配置されている
ことを特徴とする電子時計。
【請求項１４】
前記第１表示針の回転方向において、前記第１領域と前記第２領域との間の距離と、前記第２領域と前記第３領域との間の距離とが、前記第３領域と前記第１領域との間の距離よりも短い、
ことを特徴とする請求項１３に記載の電子時計。
【請求項１５】
前記第１表示針を回転させる駆動部と、
前記表示モードが前記気圧表示モードである場合に、前記第１表示針が前記第１領域を指示し、前記表示モードが前記方位表示モードである場合に、前記第１表示針が前記第２領域を指示し、前記表示モードが前記標高表示モードである場合に、前記第１表示針が前記第３領域を指示するように前記駆動部を制御する制御部と、
を備えることを特徴とする請求項１３または１４に記載の電子時計。
【請求項１６】
第４領域を指示することで前記電子時計の動作状態を表示し、第５領域を指示することで前記電子時計の電源である電池の残量を表示する第２表示針を、さらに含み、
前記第１領域、前記第２領域および前記第３領域を含む所定領域が、前記第４領域および前記第５領域を含む特定領域と隣り合っている、
ことを特徴とする請求項１から１５のいずれか１項に記載の電子時計。
【請求項１７】
前記第１表示針と前記第２表示針とは、同軸上で回転する、
ことを特徴とする請求項１６に記載の電子時計。
【請求項１８】
前記第２表示針が表示する前記動作状態は、前記第１表示針が表示する表示モードに対応する計測を実行中であることを意味する計測中状態を含み、
前記第４領域のうち、前記計測中状態に対応する第６領域は、前記所定領域と隣り合っている、
ことを特徴とする請求項１６または１７に記載の電子時計。
【請求項１９】
前記第２表示針は、３６０°を４ｎ（ｎは１５未満の自然数）で割った角度ごとに運針する、
ことを特徴とする請求項１６から１８のいずれか１項に記載の電子時計。
【手続補正２】
【補正対象書類名】明細書
【補正対象項目名】０００６
【補正方法】変更
【補正の内容】
【０００６】
本発明の電子時計の一態様は、表示モードとして、標高を表示する標高表示モード、気圧を表示する気圧表示モード、及び方位を表示する方位表示モードを備える電子時計であって、第１領域、第２領域、及び第３領域を有する情報表示部と、前記第１領域を指示することで前記標高表示モードであることを表示し、前記第２領域を指示することで前記気圧表示モードであることを表示し、前記第３領域を指示することで前記方位表示モードであることを表示する第１表示針と、を備え、前記情報表示部において、前記第１領域、前記第２領域、前記第３領域は、前記第１領域、前記第２領域、前記第３領域の順に並べて配置されている。
上述した電子時計の一態様において、前記第１表示針の回転方向において、前記第１領域と前記第２領域との間の距離と、前記第２領域と前記第３領域との間の距離とが、前記第３領域と前記第１領域との間の距離よりも短い、ことを特徴とする。
この態様によれば、標高表示モードに対応する領域と、気圧表示モードに対応する領域と、方位表示モードに対応する領域とが、第１表示針の回転方向においてまとまった領域に配置されるので、標高表示モードに対応する領域と、気圧表示モードに対応する領域と、方位表示モードに対応する領域とを一度に視認しやすくなる。よって、第１表示針が示す表示モードが、標高表示モードであるか気圧表示モードであるか方位表示モードであるかを認識しやすくできる。
【手続補正３】
【補正対象書類名】明細書
【補正対象項目名】０００８
【補正方法】変更
【補正の内容】
【０００８】
本発明の電子時計の一態様は、表示モードとして、方位を表示する方位表示モード、標高を表示する標高表示モード、及び気圧を表示する気圧表示モードを備える電子時計であって、第１領域、第２領域、及び第３領域を有する情報表示部と、前記第１領域を指示することで前記方位表示モードであることを表示し、前記第２領域を指示することで前記標高表示モードであることを表示し、前記第３領域を指示することで前記気圧表示モードであることを表示する第１表示針とを備え、前記情報表示部において、前記第１領域、前記第２領域、前記第３領域は、前記第１領域、前記第２領域、前記第３領域の順に並べて配置されている。
上述した電子時計の一態様において、前記第１表示針の回転方向において、前記第１領域と前記第２領域との間の距離と、前記第２領域と前記第３領域との間の距離とが、前記第３領域と前記第１領域との間の距離よりも短い、ことを特徴とする。
この態様によれば、方位表示モードに対応する領域と、標高表示モードに対応する領域と、気圧表示モードに対応する領域とが、第１表示針の回転方向においてまとまった領域に配置されるので、方位表示モードに対応する領域と、標高表示モードに対応する領域と、気圧表示モードに対応する領域とを一度に視認しやすくなる。よって、第１表示針が示す表示モードが、標高表示モードであるか気圧表示モードであるか方位表示モードであるかを認識しやすくできる。
【手続補正４】
【補正対象書類名】明細書
【補正対象項目名】００１０
【補正方法】変更
【補正の内容】
【００１０】
本発明の電子時計の一態様は、表示モードとして、方位を表示する方位表示モード、気圧を表示する気圧表示モード、及び標高を表示する標高表示モードを備える電子時計であって、第１領域、第２領域、及び第３領域を有する情報表示部と、前記第１領域を指示することで前記方位表示モードであることを表示し、前記第２領域を指示することで前記気圧表示モードであることを表示し、前記第３領域を指示することで前記標高表示モードであることを表示する第１表示針とを備え、前記情報表示部において、前記第１領域、前記第２領域、前記第３領域は、前記第１領域、前記第２領域、前記第３領域の順に並べて配置されている。
上述した電子時計の一態様において、前記第１表示針の回転方向において、前記第１領域と前記第２領域との間の距離と、前記第２領域と前記第３領域との間の距離とが、前記第３領域と前記第１領域との間の距離よりも短い、ことを特徴とする。
この態様によれば、方位表示モードに対応する領域と、気圧表示モードに対応する領域と、標高表示モードに対応する領域とが、第１表示針の回転方向においてまとまった領域に配置されるので、方位表示モードに対応する領域と、気圧表示モードに対応する領域と、標高表示モードに対応する領域とを一度に視認しやすくなる。よって、第１表示針が示す表示モードが、標高表示モードであるか気圧表示モードであるか方位表示モードであるかを認識しやすくできる。
【手続補正５】
【補正対象書類名】明細書
【補正対象項目名】００１２
【補正方法】変更
【補正の内容】
【００１２】
本発明の電子時計の一態様は、表示モードとして、気圧を表示する気圧表示モード、標高を表示する標高表示モード、及び方位を表示する方位表示モードを備える電子時計であって、第１領域、第２領域、及び第３領域を有する情報表示部と、前記第１領域を指示することで前記気圧表示モードであることを表示し、前記第２領域を指示することで前記標高表示モードであることを表示し、前記第３領域を指示することで前記方位表示モードであることを表示する第１表示針とを備え、前記情報表示部において、前記第１領域、前記第２領域、前記第３領域は、前記第１領域、前記第２領域、前記第３領域の順に並べて配置されている。
上述した電子時計の一態様において、前記第１表示針の回転方向において、前記第１領域と前記第２領域との間の距離と、前記第２領域と前記第３領域との間の距離とが、前記第３領域と前記第１領域との間の距離よりも短い、ことを特徴とする。
この態様によれば、気圧表示モードに対応する領域と、標高表示モードに対応する領域と、方位表示モードに対応する領域とが、第１表示針の回転方向においてまとまった領域に配置されるので、気圧表示モードに対応する領域と、標高表示モードに対応する領域と、方位表示モードに対応する領域とを一度に視認しやすくなる。よって、第１表示針が示す表示モードが、標高表示モードであるか気圧表示モードであるか方位表示モードであるかを認識しやすくできる。
【手続補正６】
【補正対象書類名】明細書
【補正対象項目名】００１４
【補正方法】変更
【補正の内容】
【００１４】
本発明の電子時計の一態様は、表示モードとして、気圧を表示する気圧表示モード、方位を表示する方位表示モード、及び標高を表示する標高表示モードを備える電子時計であって、第１領域、第２領域、及び第３領域を有する情報表示部と、前記第１領域を指示することで前記気圧表示モードであることを表示し、前記第２領域を指示することで前記方位表示モードであることを表示し、前記第３領域を指示することで前記標高表示モードであることを表示する第１表示針とを備え、前記情報表示部において、前記第１領域、前記第２領域、前記第３領域は、前記第１領域、前記第２領域、前記第３領域の順に並べて配置されている。
上述した電子時計の一態様において、前記第１表示針の回転方向において、前記第１領域と前記第２領域との間の距離と、前記第２領域と前記第３領域との間の距離とが、前記第３領域と前記第１領域との間の距離よりも短い、ことを特徴とする。
この態様によれば、気圧表示モードに対応する領域と、方位表示モードに対応する領域と、標高表示モードに対応する領域とが、第１表示針の回転方向においてまとまった領域に配置されるので、気圧表示モードに対応する領域と、方位表示モードに対応する領域と、標高表示モードに対応する領域とを一度に視認しやすくなる。よって、第１表示針が示す表示モードが、標高表示モードであるか気圧表示モードであるか方位表示モードであるかを認識しやすくできる。